(57)【要約】【課題】ネットワークを介した金融取引において効率的に入金指示を行うことを目的とし、特に振込の依頼の際の入力の負担を軽減すること。【解決手段】決済チケット処理部２０１は決済チケット送受信部２０２を介して振込情報を入手し、振込情報を含む決済チケットを発行し、発行された決済チケットは決済チケット送受信部２０２を介して振込先コンピュータ装置１０２に送信される。決済チケット処理サーバ１０１は、通常決済チケット発行するとともにデータ記憶部に関連情報を記憶しておくことができる。記憶された関連情報により、最終的に振込処理がされたとき、発行した決済チケットとの照合が可能になり、振込先コンピュータ装置１０２への振込確認を効率的に行うことができる。振込処理部２０３は、決済チケットが転送されていった結果、振込元コンピュータ１０３から決済チケットを用いて振込処理の指示を受信すると、所定の振込処理を実行する。【選択図】図２
2008090480.tif 000002
【特許請求の範囲】
【請求項１】
振込先コンピュータ装置から振込先口座情報及び振込金額を受信して決済チケットを発行するチケット発行手段と、
前記発行された決済チケットを前記振込先コンピュータ装置にネットワークを介して送信するチケット送信手段と、
前記振込先コンピュータ装置から前記発行された決済チケットを受信した振込元コンピュータ装置によって送信された、前記受信した決済チケットに含まれる前記振込先口座情報、前記振込金額及び振込元口座から振込処理を実行するとの振込指示を受信すると、該振込元口座から該振込先口座情報の口座に該振込金額を振り込む振込処理を実行する振込処理手段と
を備えたことを特徴とする決済チケット処理サーバ。
【請求項２】
振込先口座情報及び振込金額を送信して、対応する決済チケットをネットワークを介して受信するチケット取得手段と、前記受信した決済チケットを送信するチケット転送手段とを含む振込先コンピュータ装置と、
振込先コンピュータ装置から振込先口座情報及び振込金額を受信して決済チケットを発行するチケット発行手段と、前記発行された決済チケットを前記振込先コンピュータ装置にネットワークを介して送信するチケット送信手段と、前記発行され前記振込先コンピュータ装置から転送された決済チケットに含まれる前記振込先口座情報、前記振込金額及び振込元口座から振込処理を実行するとの振込指示を受信すると、前記振込先口座情報の口座に前記振込金額を振り込む振込処理を実行する振込処理手段とを含む決済チケット処理サーバと、
前記振込先コンピュータ装置から前記発行された決済チケットを受信し、前記受信した決済チケットに含まれる振込先口座情報の口座に、前記振込元口座から前記振込金額を振り込む振込処理の指示を送る振込指示手段を含む振込元コンピュータ装置と
を備えたことを特徴とする決済チケット処理システム。
【請求項３】
前記チケット取得手段は前記振込先口座情報及び振込金額とともにチケットパスワードを送信し、前記チケット発行手段は前記チケットパスワードを受信して当該受信したチケットパスワードにより暗号化された決済チケットを発行し、前記振込元コンピュータ装置は前記チケットパスワードにより前記受信した決済チケットを復号するチケット復号手段をさらに含むことを特徴とする請求項２に記載の決済チケット処理システム。
【請求項４】
前記チケット発行手段は、決済チケットごとに識別情報を割り当てて、当該割り当てられた識別情報を該決済チケットに埋め込むとともに、前記振込先口座情報及び振込金額と関連付けて記憶手段に記憶し、前記振込処理手段は前記識別情報により前記振込先口座情報及び振込金額について、前記指示された情報と前記記憶手段に記憶された情報とを照合することを特徴とする請求項２または３に記載の決済チケット処理システム。
【請求項５】
複数の前記振込元コンピュータ装置を備え、前記振込処理手段は振込の指示に従って前記決済チケットに含まれる振込先口座情報の口座に、前記振込金額を複数回振り込む処理を実行することを特徴とする請求項２または３に記載の決済チケット処理システム。
【請求項６】
前記チケット取得手段は、前記振込先口座情報及び振込金額とともに、該振込先口座情報に該振込金額を振り込む処理が実行される回数の上限を示す振込限度回数を送信し、前記チケット発行手段は前記振込先コンピュータ装置から受信した振込限度回数を記憶手段に記憶し、前記振込処理手段は、前記決済チケットに含まれる振込先口座情報の口座への前記振込金額の振込回数が前記記憶手段に記憶された振込限度回数を超えると、前記振込先コンピュータ装置に当該振込限度回数を超えたことを通知することを特徴とする請求項５に記載の決済チケット処理システム。
【請求項７】
前記チケット取得手段は、前記振込先口座情報及び振込金額とともに、該振込先口座情報に該振込金額を振り込む処理が実行される回数の上限を示す振込限度回数を送信し、前記チケット発行手段は前記振込先コンピュータ装置から受信した振込限度回数を記憶手段に記憶し、前記振込処理手段は、前記決済チケットに含まれる振込先口座情報の口座への前記振込金額の振込回数が前記記憶手段に記憶された振込限度回数を超えると、当該振込処理の実行を停止することを特徴とする請求項５に記載の決済チケット処理システム。
【請求項８】
前記振込元口座は、前記振込元コンピュータ装置からオンライン取引可能な口座であり、前記振込処理の指示は前記オンライン取引の手順により送られることを特徴とする請求項２ないし７のいずれかに記載の決済チケット処理システム。
【請求項９】
振込元コンピュータ装置は、前記振込元口座の振込元口座情報を取得する口座情報取得手段をさらに含み、前記振込指示手段は、前記発行された決済チケットおよび前記取得された振込元口座情報を前記決済チケット処理サーバに送信することにより前記振込処理の指示を送ることを特徴とする請求項２ないし７のいずれかに記載の決済チケット処理システム。
【請求項１０】
ネットワークを介して端末と接続した決済チケット処理サーバにおいて決済チケットを処理する決済チケット処理方法であって、
チケット発行手段により、振込先コンピュータ装置から振込先口座情報及び振込金額を受信して決済チケットを発行するチケット発行ステップと、
チケット送信手段により、前記発行された決済チケットを前記振込先コンピュータ装置にネットワークを介して送信するチケット送信ステップと、
振込処理手段により、前記振込先コンピュータ装置から前記発行された決済チケットを受信した振込元コンピュータ装置によって送信された、前記受信した決済チケットに含まれる前記振込先口座情報、前記振込金額及び振込元口座から振込処理を実行するとの振込指示を受信すると、該振込元口座から該振込先口座情報の口座に該振込金額を振り込む振込処理を実行する振込処理ステップと
を備えたことを特徴とする決済チケット処理方法。
【請求項１１】
振込先コンピュータ装置によって、振込先口座情報及び振込金額を送信して、対応する決済チケットをネットワークを介して受信し、前記受信した決済チケットを送信する振込先処理ステップと、
決済チケット処理サーバによって、振込先コンピュータ装置から振込先口座情報及び振込金額を受信して決済チケットを発行し、前記発行された決済チケットを前記振込先コンピュータ装置にネットワークを介して送信し、前記発行され前記振込先コンピュータ装置から転送された決済チケットに含まれる前記振込先口座情報、前記振込金額及び振込元口座から振込処理を実行するとの振込指示を受信すると、前記振込先口座情報の口座に前記振込金額を振り込む振込処理を実行する決済チケット処理ステップと、
振込元コンピュータ装置によって、前記振込先コンピュータ装置から前記発行された決済チケットを受信し、前記受信した決済チケットに含まれる振込先口座情報の口座に、前記振込元口座から前記振込金額を振り込む振込処理の指示を送る振込元処理ステップと
を備えたことを特徴とする決済チケット処理方法。
【請求項１２】
前記振込先処理ステップにおいて、前記振込先口座情報及び振込金額とともにチケットパスワードを送信し、決済チケット処理ステップにおいて前記チケットパスワードを受信して当該受信したチケットパスワードにより暗号化された決済チケットを発行し、前記振込元処理ステップにおいて前記チケットパスワードにより前記受信した決済チケットを復号することを特徴とする請求項１１に記載の決済チケット処理方法。
【請求項１３】
前記振込先処理ステップにおいて、決済チケットごとに識別情報を割り当てて、当該割り当てられた識別情報を該決済チケットに埋め込むとともに、前記振込先口座情報及び振込金額と関連付けて記憶手段に記憶し、前記決済チケット処理ステップにおいて前記識別情報により前記振込先口座情報及び振込金額について、前記指示された情報と前記記憶手段に記憶された情報とを照合することを特徴とする請求項１１または１２に記載の決済チケット処理方法。
【請求項１４】
前記決済チケット処理ステップにおいて振込の指示に従って前記決済チケットに含まれる振込先口座情報の口座に、前記振込金額を複数回振り込む処理を実行することを特徴とする請求項１１または１２に記載の決済チケット処理方法。
【請求項１５】
前記振込先処理ステップにおいて、前記振込先口座情報及び振込金額とともに、該振込先口座情報に該振込金額を振り込む処理が実行される回数の上限を示す振込限度回数を送信し、前記決済チケット処理ステップにおいて、前記振込先コンピュータ装置から受信した振込限度回数を記憶手段に記憶し、前記決済チケットに含まれる振込先口座情報の口座への前記振込金額の振込回数が前記記憶手段に記憶された振込限度回数を超えると、前記振込先コンピュータ装置に当該振込限度回数を超えたことを通知することを特徴とする請求項１４に記載の決済チケット処理方法。
【請求項１６】
前記振込先処理ステップにおいて、前記振込先口座情報及び振込金額とともに、該振込先口座情報に該振込金額を振り込む処理が実行される回数の上限を示す振込限度回数を送信し、前記決済チケット処理ステップにおいて、前記振込先コンピュータ装置から受信した振込限度回数を記憶手段に記憶し、前記決済チケットに含まれる振込先口座情報の口座への前記振込金額の振込回数が前記記憶手段に記憶された振込限度回数を超えると、当該振込処理の実行を停止することを特徴とする請求項１４に記載の決済チケット処理方法。
【請求項１７】
前記振込元口座は、前記振込元コンピュータ装置からオンライン取引可能な口座であり、前記振込処理の指示は前記オンライン取引の手順により送られることを特徴とする請求項１１ないし１６のいずれかに記載の決済チケット処理方法。
【請求項１８】
振込元コンピュータ装置によって、前記振込元口座の振込元口座情報を取得する口座情報取得ステップ手段をさらに備え、前記振込元処理ステップにおいて、前記発行された決済チケットおよび前記取得された振込元口座情報を前記決済チケット処理サーバに送信することにより前記振込処理の指示を送ることを特徴とする請求項１１ないし１６のいずれかに記載の決済チケット処理方法。
【請求項１９】
ネットワークを介して端末と接続した決済チケット処理サーバに決済チケットを処理する決済チケット処理方法を実行させるプログラムであって、該決済チケット処理方法は、
チケット発行手段により、振込先コンピュータ装置から振込先口座情報及び振込金額を受信して決済チケットを発行するチケット発行ステップと、
チケット送信手段により、前記発行された決済チケットを前記振込先コンピュータ装置にネットワークを介して送信するチケット送信ステップと、
振込処理手段により、前記振込先コンピュータ装置から前記発行された決済チケットを受信した振込元コンピュータ装置によって送信された、前記受信した決済チケットに含まれる前記振込先口座情報、前記振込金額及び振込元口座から振込処理を実行するとの振込指示を受信すると、該振込元口座から該振込先口座情報の口座に該振込金額を振り込む振込処理を実行する振込処理ステップと
を備えたことを特徴とするプログラム。
【発明の詳細な説明】
【技術分野】
【０００１】
本発明は、決済チケット処理サーバ、システム、その方法およびプログラムに関し、より詳細には振込処理を容易に行う決済チケット処理サーバ、システム、その方法およびプログラムに関する。
【背景技術】
【０００２】
従来、インターネットサイトにアクセスしてオンライン取引などにおいて支払いをする場合、クレジットなど信用取引に加え、金融機関などへの振込みがよく用いられており、商品あるいはサービスの提供者は金融機関に問い合わせて、支払いを確認して商品発送やサービス提供ができるという利点がある。通常、振込みは指定された金融機関の口座にＡＴＭで直接行うほか、郵送により送られた所定事項が書き込まれた振込用紙や店舗内の振込用紙に必要事項を記載して窓口で処理することができる。
【０００３】
一方、近年ではインターネットなどのネットワークを介して金融取引を行うネットバンキングも広く用いられるようになっており、通常の振込処理を端末からネットワークを介して指示してＡＴＭを使用したり、店舗に行ったりしなくても行うことができる他、種々の処理が可能である（例えば、特許文献１参照）。
【０００４】
【特許文献１】特開２００２−１６３５７９号公報
【発明の開示】
【発明が解決しようとする課題】
【０００５】
しかしながら、従来の振込システムでは、処理を依頼するたびに振込先の口座や振込金額を入力または書き込む必要があり煩雑である。これはネットバンキングにおいても同様に煩雑である。
【０００６】
振込伝票による振込みでは支払い先の企業なり、個人が振込先口座や金額を予め記入して必要事項を書き込むだけの振込伝票を郵送して、一定の負担の軽減になっており、ネットバンキングにおいても入力負担の軽減が必要になっている。
【０００７】
本発明は、このような問題に鑑みてなされたもので、ネットワークを介した金融取引において効率的に入金指示を行うことを目的とし、特に振込の依頼の際の入力の負担を軽減することが可能な決済チケット処理サーバ、システム、その方法およびプログラムを提供することを目的とする。さらに、振込があった場合の消しこみ負担を軽減することを目的とする。
【課題を解決するための手段】
【０００８】
このような目的を達成するために、請求項１に記載の発明は、決済チケット処理サーバであって、振込先コンピュータ装置から振込先口座情報及び振込金額を受信して決済チケットを発行するチケット発行手段と、発行された決済チケットを振込先コンピュータ装置にネットワークを介して送信するチケット送信手段と、振込先コンピュータ装置から発行された決済チケットを受信した振込元コンピュータ装置によって送信された、受信した決済チケットに含まれる振込先口座情報、振込金額及び振込元口座から振込処理を実行するとの振込指示を受信すると、振込元口座から振込先口座情報の口座に振込金額を振り込む振込処理を実行する振込処理手段とを備えたことを特徴とする。
【０００９】
請求項２に記載の発明は、決済チケット処理システムであって、振込先口座情報及び振込金額を送信して、対応する決済チケットをネットワークを介して受信するチケット取得手段と、受信した決済チケットを送信するチケット転送手段とを含む振込先コンピュータ装置と、振込先コンピュータ装置から振込先口座情報及び振込金額を受信して決済チケットを発行するチケット発行手段と、発行された決済チケットを振込先コンピュータ装置にネットワークを介して送信するチケット送信手段と、発行され振込先コンピュータ装置から転送された決済チケットに含まれる振込先口座情報、振込金額及び振込元口座から振込処理を実行するとの振込指示を受信すると、振込先口座情報の口座に振込金額を振り込む振込処理を実行する振込処理手段とを含む決済チケット処理サーバと、振込先コンピュータ装置から発行された決済チケットを受信し、受信した決済チケットに含まれる振込先口座情報の口座に、振込元口座から振込金額を振り込む振込処理の指示を送る振込指示手段を含む振込元コンピュータ装置とを備えたことを特徴とする。
【００１０】
請求項３に記載の発明は、請求項２に記載の決済チケット処理システムにおいて、チケット取得手段は振込先口座情報及び振込金額とともにチケットパスワードを送信し、チケット発行手段はチケットパスワードを受信して受信したチケットパスワードにより暗号化された決済チケットを発行し、振込元コンピュータ装置はチケットパスワードにより受信した決済チケットを復号するチケット復号手段をさらに含むことを特徴とする。
【００１１】
請求項４に記載の発明は、請求項２または３に記載の決済チケット処理システムにおいて、チケット発行手段は、決済チケットごとに識別情報を割り当てて、割り当てられた識別情報を該決済チケットに埋め込むとともに、振込先口座情報及び振込金額と関連付けて記憶手段に記憶し、振込処理手段は識別情報により振込先口座情報及び振込金額について、指示された情報と記憶手段に記憶された情報とを照合することを特徴とする。
【００１２】
請求項５に記載の発明は、請求項２または３に記載の決済チケット処理システムにおいて、複数の振込元コンピュータ装置を備え、振込処理手段は振込の指示に従って決済チケットに含まれる振込先口座情報の口座に、振込金額を複数回振り込む処理を実行することを特徴とする。
【００１３】
請求項６に記載の発明は、請求項５に記載の決済チケット処理システムにおいて、チケット取得手段は、振込先口座情報及び振込金額とともに、該振込先口座情報に振込金額を振り込む処理が実行される回数の上限を示す振込限度回数を送信し、チケット発行手段は振込先コンピュータ装置から受信した振込限度回数を記憶手段に記憶し、振込処理手段は、決済チケットに含まれる振込先口座情報の口座への振込金額の振込回数が記憶手段に記憶された振込限度回数を超えると、振込先コンピュータ装置に当該振込限度回数を超えたことを通知することを特徴とする。
【００１４】
請求項７に記載の発明は、請求項５に記載の決済チケット処理システムにおいて、チケット取得手段は、振込先口座情報及び振込金額とともに、該振込先口座情報に振込金額を振り込む処理が実行される回数の上限を示す振込限度回数を送信し、チケット発行手段は振込先コンピュータ装置から受信した振込限度回数を記憶手段に記憶し、振込処理手段は、決済チケットに含まれる振込先口座情報の口座への振込金額の振込回数が記憶手段に記憶された振込限度回数を超えると、振込処理の実行を停止することを特徴とする。
【００１５】
請求項８に記載の発明は、請求項２ないし７のいずれかに記載の決済チケット処理システムにおいて、振込元口座は、振込元コンピュータ装置からオンライン取引可能な口座であり、振込処理の指示はオンライン取引の手順により送られることを特徴とする。
【００１６】
請求項９に記載の発明は、請求項２ないし７のいずれかに記載の決済チケット処理システムにおいて、振込元コンピュータ装置は、振込元口座の振込元口座情報を取得する口座情報取得手段をさらに含み、振込指示手段は、発行された決済チケットおよび取得された振込元口座情報を決済チケット処理サーバに送信することにより振込処理の指示を送ることを特徴とする。
【００１７】
請求項１０に記載の発明は、ネットワークを介して端末と接続した決済チケット処理サーバにおいて決済チケットを処理する決済チケット処理方法であって、チケット発行手段により、振込先コンピュータ装置から振込先口座情報及び振込金額を受信して決済チケットを発行するチケット発行ステップと、チケット送信手段により、発行された決済チケットを振込先コンピュータ装置にネットワークを介して送信するチケット送信ステップと、振込処理手段により、振込先コンピュータ装置から発行された決済チケットを受信した振込元コンピュータ装置によって送信された、受信した決済チケットに含まれる振込先口座情報、振込金額及び振込元口座から振込処理を実行するとの振込指示を受信すると、振込元口座から振込先口座情報の口座に振込金額を振り込む振込処理を実行する振込処理ステップとを備えたことを特徴とする。
【００１８】
請求項１１に記載の発明は、決済チケット処理方法であって、振込先コンピュータ装置によって、振込先口座情報及び振込金額を送信して、対応する決済チケットをネットワークを介して受信し、受信した決済チケットを送信する振込先処理ステップと、決済チケット処理サーバによって、振込先コンピュータ装置から振込先口座情報及び振込金額を受信して決済チケットを発行し、発行された決済チケットを振込先コンピュータ装置にネットワークを介して送信し、発行され振込先コンピュータ装置から転送された決済チケットに含まれる振込先口座情報、振込金額及び振込元口座から振込処理を実行するとの振込指示を受信すると、振込先口座情報の口座に振込金額を振り込む振込処理を実行する決済チケット処理ステップと、振込元コンピュータ装置によって、振込先コンピュータ装置から発行された決済チケットを受信し、受信した決済チケットに含まれる振込先口座情報の口座に、振込元口座から振込金額を振り込む振込処理の指示を送る振込元処理ステップとを備えたことを特徴とする。
【００１９】
請求項１２に記載の発明は、請求項１１に記載の決済チケット処理方法において、振込先処理ステップにおいて、振込先口座情報及び振込金額とともにチケットパスワードを送信し、決済チケット処理ステップにおいてチケットパスワードを受信して受信したチケットパスワードにより暗号化された決済チケットを発行し、振込元処理ステップにおいてチケットパスワードにより受信した決済チケットを復号することを特徴とする。
【００２０】
請求項１３に記載の発明は、請求項１１または１２に記載の決済チケット処理方法において、振込先処理ステップにおいて、決済チケットごとに識別情報を割り当てて、割り当てられた識別情報を決済チケットに埋め込むとともに、振込先口座情報及び振込金額と関連付けて記憶手段に記憶し、決済チケット処理ステップにおいて識別情報により振込先口座情報及び振込金額について、指示された情報と記憶手段に記憶された情報とを照合することを特徴とする。
【００２１】
請求項１４に記載の発明は、請求項１１または１２に記載の決済チケット処理方法において、決済チケット処理ステップにおいて振込の指示に従って決済チケットに含まれる振込先口座情報の口座に、振込金額を複数回振り込む処理を実行することを特徴とする。
【００２２】
請求項１５に記載の発明は、請求項１４に記載の決済チケット処理方法において、振込先処理ステップにおいて、振込先口座情報及び振込金額とともに、振込先口座情報に振込金額を振り込む処理が実行される回数の上限を示す振込限度回数を送信し、決済チケット処理ステップにおいて、振込先コンピュータ装置から受信した振込限度回数を記憶手段に記憶し、決済チケットに含まれる振込先口座情報の口座への振込金額の振込回数が記憶手段に記憶された振込限度回数を超えると、振込先コンピュータ装置に振込限度回数を超えたことを通知することを特徴とする。
【００２３】
請求項１６に記載の発明は、請求項１４に記載の決済チケット処理方法において、振込先処理ステップにおいて、振込先口座情報及び振込金額とともに、振込先口座情報に振込金額を振り込む処理が実行される回数の上限を示す振込限度回数を送信し、決済チケット処理ステップにおいて、振込先コンピュータ装置から受信した振込限度回数を記憶手段に記憶し、決済チケットに含まれる振込先口座情報の口座への前記振込金額の振込回数が記憶手段に記憶された振込限度回数を超えると、振込処理の実行を停止することを特徴とする。
【００２４】
請求項１７に記載の発明は、請求項１１ないし１６のいずれかに記載の決済チケット処理方法において、振込元口座は、振込元コンピュータ装置からオンライン取引可能な口座であり、振込処理の指示はオンライン取引の手順により送られることを特徴とする。
【００２５】
請求項１８に記載の発明は、請求項１１ないし１６のいずれかに記載の決済チケット処理方法において、振込元コンピュータ装置によって、振込元口座の振込元口座情報を取得する口座情報取得ステップ手段をさらに備え、振込元処理ステップにおいて、発行された決済チケットおよび取得された振込元口座情報を決済チケット処理サーバに送信することにより振込処理の指示を送ることを特徴とする。
【００２６】
請求項１９に記載の発明は、ネットワークを介して端末と接続した決済チケット処理サーバに決済チケットを処理する決済チケット処理方法を実行させるプログラムであって、決済チケット処理方法は、チケット発行手段により、振込先コンピュータ装置から振込先口座情報及び振込金額を受信して決済チケットを発行するチケット発行ステップと、チケット送信手段により、発行された決済チケットを振込先コンピュータ装置にネットワークを介して送信するチケット送信ステップと、振込処理手段により、振込先コンピュータ装置から発行された決済チケットを受信した振込元コンピュータ装置によって送信された、受信した決済チケットに含まれる振込先口座情報、振込金額及び振込元口座から振込処理を実行するとの振込指示を受信すると、振込元口座から振込先口座情報の口座に振込金額を振り込む振込処理を実行する振込処理ステップとを備えたことを特徴とする。
【発明の効果】
【００２７】
以上説明したように、本発明によれば、決済チケット処理サーバは、振込先コンピュータ装置から振込先口座情報及び振込金額を受信して決済チケットを発行するチケット発行手段と、発行された決済チケットを振込先コンピュータ装置にネットワークを介して送信するチケット送信手段と、振込先コンピュータ装置から発行された決済チケットを受信した振込元コンピュータ装置によって送信された、受信した決済チケットに含まれる振込先口座情報、振込金額及び振込元口座から振込処理を実行するとの振込指示を受信すると、振込元口座から振込先口座情報の口座に振込金額を振り込む振込処理を実行する振込処理手段とを備えているので、ネットワークを介した金融取引において効率的に入金指示を行うことが可能となり、特に振込の依頼の際の入力の負担を軽減することが可能となる。
【発明を実施するための最良の形態】
【００２８】
（本願発明の一実施形態におけるシステム構成）
以下、図面を参照しながら本発明の実施形態について詳細に説明する。  
図１は、本発明にかかる一実施形態のシステム全体を示すブロック図である。本実施形態において、決済チケット処理サーバ１０１は、金融機関システム（図示せず）内にあり、インターネット１０４を介して、振込先コンピュータ端末１０２および振込元コンピュータ装置１０３に接続されている。少なくとも振込元コンピュータ装置１０３は、ネットワーク１０４を介して接続し金融機関システムの提供するネットバンキングサービスの入出力を行うことができる。すなわち、金融機関のネットバンキング対象の口座を有する顧客は、振込元コンピュータ装置１０３、および実施例によっては振込先コンピュータ装置１０２を通してインターネットにより接続された金融機関システムにアクセスし、対象口座の残高を照会したり、他の口座への振込指示を行ったりすることができる。顧客がこのような操作をする場合は、本技術分野で知られた方法のいずれでも行うことができる。例えば、ネットバンキングのサービスを受けるにあたっては、自己のＩＤやパスワードを入力し、金融機関システム側ではそれらにより顧客を認証する等の処理がなされるが、これに限られない。
【００２９】
決済チケット処理サーバ１０１、振込先コンピュータ装置１０２および振込元コンピュータ装置１０３は、通常のコンピュータ処理機能を有しているものであり、ＣＰＵ、メモリの他通常は大容量のデータ記憶部を備え、コンピュータ処理で使用するデータはメモリあるいはデータ記憶部にアクセスして読み出し、あるいは書き込むことができ、またネットワークに接続する機能も有している。したがって、決済チケット処理サーバ１０１、振込先コンピュータ装置１０２および振込元コンピュータ装置１０３は、相互にあるいは単独でデータを受信すると、受信したデータの一部または全部をメモリまたはデータ記憶部に本技術分野で知られた方法により記憶し種々の処理を行うものとする。同様に、処理の結果、抽出あるいは算出されたデータもその一部または全部をメモリまたはデータ記憶部に本技術分野で知られた方法により記憶するものとする。ここで、特に振込元コンピュータ装置１０３は、上述のようにインターネットバンキングアクセス機能を実装するため、キーボード／マウスあるいはディスプレイ／スピーカなどの入出力機器を備えている必要があるが、決済チケット処理サーバ１０１や振込先コンピュータ装置１０２も入出力機能を備えることができ、または備える必要がある場合もある。特に、後述するように振込先コンピュータ装置１０２は、システムによってはサーバとしてＷｅｂサービスを提供する場合もあり、このような場合は、サーバのメンテナンスなど本願発明と直接関係のない機能を提供するために備えられることはあるが、必ずしも入出力機器は必要ではない。一方、ネットワークを介した種々のサービスを受けるような端末あるいはクライアントとして用いられる場合、入出力機器が必要なことが多いと考えられる。このように、これらのサーバ、コンピュータは基本的な情報処理機器の構成を備えながら、システムの要件に応じて本明細書に示す種々の機能を備え、あるいは備えないように構成することができる。
【００３０】
なお、一般に振込元コンピュータ装置１０３は、図１に示すように複数がネットワークに接続されることがあるが、これは１つの振込先情報を持つ複数の決済チケットが発行されることもあり、また１つだけ発行された決済チケットがコピーされて複数回振込処理に用いられる場合があることを示すものであり、１つの振込元コンピュータ装置１０３のみネットワークに接続されたシステムとすることもできる。また、本実施形態では、振込元コンピュータ装置１０３を通常のパーソナルコンピュータあるいはクライアント装置として示しているが、本発明はこれに限られず、データ処理およびネットワーク接続が可能な装置であれば、携帯端末やハンドヘルドコンピュータはもちろん、携帯電話等も使用することができる。
【００３１】
ここで、本願発明の決済チケットは、振込先口座情報あるいは振込金額などの振込情報（必要な場合にはさらに振込期限などの情報）などの情報を含む一塊の電子データであって、その形式、形態は特に限定されないが、何らかのプロトコルによりネット間を伝送、例えばサーバからクライアントにダウンロードしたり、電子メールに添付したりできるものである。本願発明では、このような決済チケットをネットワークあるいはコンピュータ間で転送させ、支払い者（すなわち振込元）が決済チケットを入手すると、そこの含まれる情報に振込元の口座情報などをあわせ、金融機関に振込を指示することにより、これらの情報を改めて入力し直すといった負担をかけずに入金処理ができるシステムを提供するものである。なお、本実施形態で口座情報とは、口座を特定する情報であって、例えば口座番号が典型的であるが、これに限られることなくネットバンキング用の会員番号など目的が達成されるいずれの情報も含むものとする。
【００３２】
具体的に本実施形態を例に説明すると、決済チケット処理サーバ１０１は、図２に示すように決済チケット発行部２０１、決済チケット送受信部２０２および振込処理部２０３を備える。図２は、決済チケット処理サーバ１０１のモジュール構成を示す図である。決済チケット処理部２０１は決済チケット送受信部２０２を介して振込情報を入手し、振込情報を含む決済チケットを発行し、発行された決済チケットは決済チケット送受信部２０２を介して振込先コンピュータ装置１０２に送信される。
【００３３】
ここで、決済チケット処理サーバ１０１は、通常決済チケット発行するとともにデータ記憶部に関連情報を記憶しておくことができる。記憶された関連情報により、最終的に振込処理がされたとき、発行した決済チケットとの照合が可能になり、振込先コンピュータ装置１０２への振込確認を効率的に行うことができる。これに伴いさらに、決済チケット発行ごとに一意の識別番号（または識別ＩＤ）を付与することもでき、この識別番号によって上記の照合をより迅速に、確実に行うことができる。
【００３４】
振込処理部２０３は、決済チケットが転送されていった結果、振込元コンピュータ１０３から決済チケットを用いて振込処理の指示を受信すると、所定の振込処理を実行するが、本実施形態ではネットバンキングの機能を用いることができる。すなわち、振込処理部２０３はネットバンキングにより振込元コンピュータ装置１０３から振込が指示された場合の処理と同じモジュール構成で同様の処理を行うことができる。例えば、振込元コンピュータ装置１０３からの指示が決済チケットを用いたものであった場合も、ネットバンキングによる場合と同様のインタフェースにしたり、異なるインタフェースで指示を受け取ってそれをネットバンキングと同様のインタフェースに変換する適当な変換モジュールを中間に挿入したりするといった実装方法を採用することができる。また、本実施形態では、決済チケット処理サーバ１０１内に振込処理部２０３を備えた振込処理の実行まで行うように説明したが、これに限られることなく、外部の別の勘定系サーバで振り込み処理自体は行うようにさせて、決済チケット処理サーバ１０１からは振込処理実行の指示を出すだけにすることもできる。
【００３５】
なお、ここでは特定のネットバンキングのシステムを用いて説明するが、本実施形態では本技術分野で知られたいずれのネットバンキングシステムも使用することができ、加えて、本技術分野では種々のネットバンキングシステムが知られているので、それ自体の説明は省略する。
【００３６】
図３は、振込先コンピュータ１０２のモジュール構成を示す図である。振込先コンピュータ１０２は、決済チケット取得手段である決済チケット要求部３０１、発行され、送信された決済チケットを振込元コンピュータ装置１０３等に送信する決済チケット転送部３０２を備えるが、決済チケット要求部３０１は入力あるいは受信した所定の情報に基づいて決済チケットの発行を要求する。振込先コンピュータ１０２が後述するようなサーバの場合、振込先は予め設定されていたり、別のサーバ等から受信したりして振込先口座情報を取得するが、端末あるいはクライアントである場合、入出力部３０４のキーボードなどからこのような情報を入力し、ディスプレイにより確認する等によって取得することとなる。また、本願発明の効果を奏するためには必ずしも必要ではないが、本実施形態では決済チケットに暗号処理を導入することにより本願発明の効果をより高めるようにしている。この暗号処理機能を実現するため、振込先コンピュータ１０２は暗号処理に使用するパスワードを設定するパスワード設定部３０３をさらに備える。
【００３７】
次に、図４を参照して、振込元コンピュータ１０３の構成について説明する。図４は、振込元コンピュータ１０３のモジュール構成を示す図である。振込元コンピュータ１０３は、振込先コンピュータ１０２から転送されてきた決済チケットを受け取る決済チケット受信部４０２と、決済チケットに含まれる振込先口座情報および振込元に関する所定の情報を用いて振込の指示を行う振込指示部４０３を備える。振込元コンピュータ１０３は、基本的に端末あるいはクライアントといった、顧客が直接情報を入力してその処理の結果をディスプレイで確認したりする必要があることから、キーボード／マウスやディスプレイ／スピーカなどの入出力部４０１も備えられている。
【００３８】
また、本実施形態では、ネットバンキングとのアクセス機能を用いて決済チケットを用いた振込処理を行うため、通常、決済チケットを用いないでもネットバンキングが可能なネットバンキングアクセス部４０４も備えることができる。もちろん、本願発明を実装するためには、顧客がネットバンキングサーバに接続して金融取引を行う必要はなく、さらにネットバンキングのインタフェースを用いずに別の専用または汎用のモジュールにより決済チケットによる振込処理をすることもできる。以上説明したように、本実施形態では図２〜４に示すようなシステム構成で決済チケットの処理を行うが、これに限られず各モジュールの機能をさらに分割したモジュールにより構成したり、いくつかのモジュールを組み合わせてより少ない数のモジュールで構成したりすることができる。
【００３９】
さらに、振込元口座がネットバンキングに対応しておらず、かつ決済チケット処理サーバがそのような口座でも処理可能な機能を有していない場合は、振込元コンピュータ１０３のプリンタ（図示せず）を接続して決済チケットの内容を印字し、例えばコンビニエンスストアなどの決済チケットの内容を印字した用紙を持参してコンビニ決済により、振込先口座に振り込むこともできる。この場合、用紙にはバーコードも印刷して支払いを効率的にする等、本技術分野で知られたいずれの方法も用いることができる。
【００４０】
（本実施形態を用いた処理）
以上説明したような構成を備えたシステムにより本発明にかかる決済チケット処理が行われる。以下に具体的な処理の例について説明する。本実施形態の処理の例は企業対個人の取引および個人対個人の取引に分けることができる。企業対個人の例としては個人がＷｅｂショップのサイトを訪れ商品やサービスを購入し支払い方法として決済チケットを用いる場合が考えられ、個人対個人の例としては個人の提供するオークションで商品を競り落として購入するような場合を想定することができる。その他に、個人対個人の例として、パーティー例えば同窓会などの支払いを個人の主催者が取りまとめをしている場合などに、参加費を各参加者が決済チケットを用いて入金するといった実施例がある。以下、このような実施例の３類型を各々説明するが、本実施形態の処理はこれらの実施例に限られることなく種々のシステムで決済チケットを用いることができるのはいうまでもない。
【００４１】
（第１実施例）
本実施例は、企業対個人の例であり、ある企業（Ａ社）が運営しているショッピングサイトで個人の顧客が商品を購入してその対価の支払いを決済チケットにより処理するというものである。図５は、企業対個人のインターネット取引における決済チケットの処理の一例を示す図である。ここで、Ａ社のショッピングサイト５０２は、図１に示した振込先コンピュータ装置１０２により提供され、インターネットを介して振込元コンピュータ装置１０３に相当する端末５０３から接続され、顧客Ｂは端末５０３からショッピングサイトにアクセスする。本実施形態では以下の説明で明らかなように決済チケットで使用するパスワードは顧客Ｂが選択して端末５０３からショッピングサイト５０２を経由して送信され決済チケットの発行に用いられる。これは、決済チケットから振込処理を行う際に決済チケットに含まれる情報を使用するのが端末５０３であり、その際に必要となるパスワードは顧客Ｂが選択した方が効率的な場合が多いからであるが、これに限られることなく、ショッピングサイト５０２側でパスワードを任意に生成して別途に端末５０３に送っておくといった方法などシステムにあわせて種々の方法を採用することが可能である。
【００４２】
まず、端末５０３から商品の注文をするとともに決済チケット開封用パスワードを送信する（図５のステップ（１））。ショッピングサイト５０２が注文とパスワードを受信すると、注文された商品の情報および受信したパスワードを決済チケット処理サーバ５０１に送信する（図５のステップ（２））。ここで、本実施例では振込先口座情報であるＡ社の口座番号等はすでに金融機関に登録してあるものとしているが、これに限られずに、例えばその都度口座番号やその他の振込先口座情報を送信するようにすることもできる。
【００４３】
決済チケット処理サーバ５０１は、決済チケットの発行を指示されると、決済チケットを発行しショッピングサイト５０２に送信する（図５のステップ（３））。ここで、決済チケットには、Ａ社の名称、振込先の銀行、支店名および口座番号、振込金額、振込期限などを含めることができ、例えば、振込期限を設けることによって、商品の購入者にとっては商品を一定期間キープ可能な購入予約的機能を、販売者にとっては在庫管理の補助的機能を提供することができる。決済チケットには、さらに、商品購入に関する明細情報など付加的情報も含めることができる。また、決済チケットの形式や作成方法は本願発明の処理で用いることができるようなものであれば、いずれのものでもよい。すなわち、少なくともメールに添付することができる電子データであればその構造や形態は問わないので、テキスト形式等にすることもできるが、暗証番号を用いて暗号化をするため、暗号化方法によっても最適な形態を変えることができる。暗号化処理も、ショッピングサイトから送られた暗証番号を用いて復号ができるものであればいずれの方式も用いることができる。
【００４４】
ここで、１つの決済チケットの対象になる取引は、１つの商品の購入には限られない。すなわち、１回の、または何回かのショッピングサイトへの訪問で購入した複数の商品についての支払いを１つの決済チケットで行うこともできる。この場合、決済チケットには購入した商品の明細を含むことができるが、これらの購入金額の合計が振込金額として設定されることとなる。このように複数の関連する取引をまとめて、１つの決済チケットにすることにより、例えば従来のショッピングサイトの「買い物かご」の管理に用いることができる。すなわち、各種ショッピングサイトが共通して決済チケットを用いていれば、別のショッピングサイトで購入した支払いも決済チケットという形で端末５０３内に記憶しておいて、後で明細も含め参照することができるから、１つのフォルダ内で一元管理することができるのである。
【００４５】
このようにして発行された決済チケットはショッピングサイト５０２から端末５０３にダウンロードされる（図５のステップ（４））が、本実施形態では何らかの形で決済チケットに含まれる情報を端末５０３で使用できるようにすれば良いので、別途電子メール等に決済チケットを添付してショッピングサイト５０２から端末５０３に送信してもよい。
【００４６】
端末５０３が決済チケットを入手すると、もともと顧客Ｂが選択した暗証番号で受信あるいはダウンロードされた決済チケットを復号し、決済チケットに含まれる振込先口座に振込金額を顧客Ｂの口座から振込むよう決済チケット処理サーバ５０１に送信する（図５のステップ（５）、（６））。ここで、本実施例では決済チケットは何らかのファイルの形態をしているので、顧客Ｂは決済チケットを端末５０３の画面上で例えばダブルクリックすると、予め端末５０３にインストールしておいたソフトウェアと連動して復号処理が行われる。復号処理が行われ決済チケットに含まれる情報の使用が可能になると、やはり予めインストールされていたソフトウェアにより例えば図５に示すシート５０４が表示されこのシートの振込元の口座のネットバンキングの暗証番号等の情報を入力すると、端末５０３は決済チケット処理サーバ５０１に振込処理の指示を行うこととなる。
【００４７】
本実施例では、端末５０３で振込元口座の情報の入力を受け取って処理する専用のソフトウェアを予めインストールしておくが、これに限られることなく決済チケット自体にそのようなソフトウェアを含めて作成しておいて、端末５０３のディスプレイ上でクリックすると起動して上述のソフトウェアと同様の処理をさせるように構成することもでき、あるいは入力された振込元口座情報を決済チケットとともに単に決済チケット処理サーバ５０１に送信するだけで、振込指示とすることもできる。ただし、この場合は決済チケット処理サーバ５０１内で決済チケットの内容を分析するモジュールを備える必要がある。なお、本実施例では振込元口座である顧客Ｂの口座は、顧客Ｂが端末５０３を通して入力するか、予め端末５０３に設定されている口座番号により特定されるが、これに限られず、口座とは異なる別に設定された、例えばネットバンキング用の口座識別番号により口座を特定することができる。さらに、顧客Ｂあるいは端末５０３ごとに特定の口座を予め定めておいて、これらを識別する情報により特定することもできる。
【００４８】
このようにして端末５０３から振込処理が決済チケット処理サーバ５０１に指示されると、上記で詳述したようにサーバ内の振込処理部２０３が振込処理を実行する（図５のステップ（７））。
【００４９】
以上の処理により、ショッピングサイトからの情報で、発行された決済チケットは実際にネットバンキングで振込処理可能な端末まで転送され、決済チケットに含まれる振込先情報を改めて入力することなく効率的に振り込み処理することができる。
【００５０】
（第２実施例）
本実施例は、個人対個人の例であり、ある個人（Ａ）がオークションで提供している商品を個人の顧客（Ｂ）が競り落として商品を購入し、その対価の支払いを決済チケットにより行うというものである。図６は、個人対個人のインターネット取引における決済チケットの処理の一例を示す図である。ここで、個人Ａの端末６０２は、図１に示した振込先コンピュータ装置１０２に相当し、インターネットを介して振込元コンピュータ装置１０３に相当する端末５０３と接続される。本実施例でも第１実施例と同様パスワードは顧客Ｂが選択して端末５０３から端末６０２を経由して送信され決済チケットの発行に用いられる。なお、本実施例では、個人Ａが端末６０２から決済チケットの発行を要求する場合、アクセスのために何らかのソフトウェアが必要となるが、ここではネットバンキングの機能の中に決済チケットの発行というメニューを設けておく。このようにして、個人Ａはネットバンキングサービスにおいて決済チケットの発行を依頼する。したがって、個人Ａはネットバンキング可能な口座を有している必要があるが、これに限られず別のソフトウェアを使用する等することができる。
【００５１】
まず、端末５０３から商品の購入の希望とともに決済チケット開封用パスワードを送信する（図６のステップ（１））。端末６０２が購入希望とパスワードを受信すると、注文された商品の情報および受信したパスワードに加え、振込先口座番号などの振込先口座情報を決済チケット処理サーバ５０１に送信する（図６のステップ（２））。本実施例では第１実施例とは異なり個人Ａが決済チケットの発行を依頼するので基本的には金融機関にはその都度情報を送信するようにしている。
【００５２】
決済チケット処理サーバ５０１は、決済チケットの発行を指示されると、決済チケットを発行し端末６０２に送信する（図６のステップ（３））。ここで、決済チケットの内容は第１実施例と同様である。
【００５３】
このようにして発行された決済チケットは端末６０２から端末５０３にメールに添付して送られる（図６のステップ（４））。端末５０３が決済チケットを入手すると、もともと顧客Ｂが選択したパスワードで受信された決済チケットを復号し、決済チケットに含まれる振込先口座に振込金額を顧客Ｂの口座から振込むよう決済チケット処理サーバ５０１に送信し、振込処理が行われる（図６のステップ（５）、（６）、（７））。これらの処理は第１実施例と同様である。
【００５４】
以上の処理により、個人Ａの端末からの情報で発行された決済チケットは実際にネットバンキングで振込処理可能な端末まで転送され、決済チケットに含まれる振込先情報を改めて入力することなく効率的に振り込み処理することができる。
【００５５】
（第３実施例）
本実施例は、もう１つの個人対個人の例であり、ある個人（Ａ）が同窓会等の企画を策定あるいは取りまとめとなっている状況において、その企画に参加しようとする個人の顧客（Ｂ）が参加を申し出て、その参加費の支払いを決済チケットにより処理するというものである。図７は、個人対個人の決済チケットの処理の一例を示す図である。ここで、個人Ａの端末６０２は、図１に示した振込先コンピュータ装置１０２に相当し、インターネットを介して振込元コンピュータ装置１０３に相当する端末７０１、７０２、７０３等と接続される。本実施例では第１、２実施例と異なりパスワードは特に使用しないが、使用する場合は個人Ａが選択して端末６０２から送信され決済チケットの発行に用いられる。必要な場合は適当なパスワードにより暗号化することができる。なお、上述の第２実施例同様、個人Ａが端末６０２から決済チケットの発行を要求する場合、アクセスのためにネットバンキングサービスに決済チケットの発行を依頼する。
【００５６】
まず、端末６０２が、企画の参加費等の情報に加え、振込先口座番号などの振込先口座情報を決済チケット処理サーバ５０１に送信する（図６のステップ（１））。決済チケット処理サーバ５０１は、決済チケットの発行を指示されると、決済チケットを発行し端末６０２に送信する（図６のステップ（２））。ここで、決済チケットの内容は第１、２実施例と同様であるが、企画に参加するのは通常複数であり基本的には同じ支払条件となるので、通常は個人Ａが転送する予定の決済チケットの数を決済チケット処理サーバ５０１に送信しておき、決済チケット処理サーバ５０１はファイルサーバなどに記憶しておく。このようにすることにより、後に振込処理がなされたとき、予め設定された数に達すると個人Ａに連絡する等の処理を行うことができる。また、最低振込数および期間を設定しておくことにより、定められた期間内に最低振込数に到達しないときも同様に通知されるようにすることができる。具体的には、最低振込回数（本実施例で言えば、パーティ開催のための最低開催参加者数など）をサーバ側に設定しておき、この回数に達すると端末６０２に通知されるようにしておけば、個人（Ａ）はこの通知に基づいて開催を判断することができる。また、逆に上限回数を設定しておいて、これを超えると振込処理を受付けないようにしたり、通知したりするようにすることができる。
【００５７】
さらに、これとは逆に同じ振込額の決済チケットを転送予定の数だけ一意の識別情報を付して発行し、誰が振り込んでいないかを特定したりすることもできる。
【００５８】
このようにして発行された決済チケットは端末６０２から端末７０１、７０２、７０３にメールに添付して送られる（図７のステップ（３））。端末５０３が決済チケットを入手すると、それぞれの端末から個人Ｂ、Ｃ、Ｄの各振込元口座から決済チケットに含まれる振込先口座に指定された振込金額を振込むよう決済チケット処理サーバ５０１に送信され、振込処理が行われる（図６のステップ（４）、（５）、（６））。これらの処理は第１実施例と同様である。本実施例では、振込処理が行われると、上述のように振込数を計数して、所定の通知を端末６０２に送信したり、識別情報により振込がなされていないものの特定をしたり等を行うことができる。
【００５９】
以上の処理により、個人Ａの端末からの情報で発行された決済チケットは実際にネットバンキングで振込処理可能な端末まで転送され、決済チケットに含まれる振込先情報を改めて入力することなく効率的に振り込み処理することができる。
【図面の簡単な説明】
【００６０】
【図１】本発明にかかる一実施形態のシステム全体を示すブロック図である。
【図２】本発明にかかる一実施形態の決済チケット処理サーバのモジュール構成を示す図である。
【図３】本実施形態の振込先コンピュータのモジュール構成を示す図である。
【図４】本実施形態の振込元コンピュータのモジュール構成を示す図である。
【図５】本実施形態の企業対個人のインターネット取引における決済チケットの処理の一例を示す図である。
【図６】本発明の一実施形態の個人対個人のインターネット取引における決済チケットの処理の一例を示す図である。
【図７】本発明の一実施形態の個人対個人のインターネット取引における決済チケットの処理の一例を示す図である。
【符号の説明】
【００６１】
１０１、５０１  決済チケット処理サーバ
１０２  振込先コンピュータ
１０３  振込元コンピュータ
１０４  ネットワーク
２０１  決済チケット発行部
２０２  決済チケット送受信部
２０３  振込処理部
３０１  決済チケット要求部
３０２  決済チケット転送部
３０３  パスワード設定部
３０４  パスワード設定部
４０１  入出力部
４０２  決済チケット受信部
４０３  振込指示部
４０４  ネットバンキングアクセス部
５０２  ショッピングサイト提供サーバ
５０３、６０２、７０１〜７０３  端末
５０４、７０４  決済チケット振込元入力シート
６０１  ネットバンキング提供サーバ
【図１】
2008090480.tif 000003
【図２】
2008090480.tif 000004
【図３】
2008090480.tif 000005
【図４】
2008090480.tif 000006
【図５】
2008090480.tif 000007
【図６】
2008090480.tif 000008
【図７】
2008090480.tif 000009